(57)【要約】【解決手段】本発明は、枕構造体Ｐを、檜製木毛からなる下位ベース部材１ａと合成繊維綿からなる上部ベース部材１ｂとからなるベース部材１と、檜製木毛センター部分２ａと合成繊維綿製センター部分２ｂとからなるセンター部材２と、センター部材２の両側に配置される檜製木毛からなるサイド部材３とにより構成したものである。【効果】枕構造体が、個人々の好みに応じた、或いは、経時的に変化する好みに、容易に、且つ、簡単に、対応することができるとともに、消臭効果が低下した際には、噴霧器等により、檜材からなる木毛に、水分を供給したり、或いは、スチームアイロンにより、檜材からなる木毛に水分を供給することにより、容易に、且つ、簡単に、檜材からなる木毛の消臭効果を回復させることができる。【選択図】図２
2014090935.tif 000002
【特許請求の範囲】
【請求項１】
枕構造体を、檜製木毛からなる下位ベース部材と合成繊維綿からなる上部ベース部材とからなるベース部材と、檜製木毛センター部分と合成繊維綿製センター部分とからなるセンター部材と、センター部材の両側に配置される檜製木毛からなるサイド部材とにより構成したことを特徴とする枕構造体。
【請求項２】
檜製木毛からなる下位ベース部材の硬さを、センター部材の檜製木毛センター部分及び檜製木毛からなるサイド部材の硬さと同じか、それより、柔らかくしたことを特徴とする請求項１に記載の枕構造体。
【請求項３】
合成繊維綿からなる上部ベース部材とセンター部材を形成する合成繊維綿製センター部分とを、檜製木毛からなる下位ベース部材、センター部材の檜製木毛センター部分及び檜製木毛からなるサイド部材の硬さより柔らかくしたことを特徴とする請求項１又は請求項２に記載の枕構造体。
【発明の詳細な説明】
【技術分野】
【０００１】
本発明は、個々人の体型や好みに応じて、高さや硬さが調整が可能な枕構造体に関するものである。
【背景技術】
【０００２】
従来は、詰め物の量や硬さや材質や高さ等を、個々に選択することにより、個人の体型や好みに応じて、枕を選択している。このような枕は、特許文献を挙げるまでもなく周知であるが、一例として、このような枕は、特許文献１に記載されている。
【先行技術文献】
【特許文献】
【０００３】
【特許文献１】特開２０１１−０７２７６１号公報
【発明の概要】
【発明が解決しようとする課題】
【０００４】
従来の枕においては、購入後に、枕の高さや、硬さや、寝返りのし易さや、上向きや横向きや斜め向き等の寝方等を変更したい場合には、新しい枕を購入するか、クッション等の枕以外の物品を使用して調整する必要があり、個々人により、変化する枕の調整自由度に制限があるという問題があった。
【０００５】
また、枕の材質として、消臭効果を有する材料を詰め込む枕も周知であるが、消臭効果の回復を、簡単に、且つ、迅速に、行なうことができないという問題があった。
【０００６】
本発明の目的は、上述した従来の枕が有する課題を解決することにある。
【課題を解決するための手段】
【０００７】
本発明は、上述した目的を達成するために、第１には、枕構造体Ｐを、檜製木毛からなる下位ベース部材１ａと合成繊維綿からなる上部ベース部材１ｂとからなるベース部材１と、檜製木毛センター部分２ａと合成繊維綿製センター部分２ｂとからなるセンター部材２と、センター部材２の両側に配置される檜製木毛からなるサイド部材３とにより構成したものであり、第２には、檜製木毛からなる下位ベース部材１ａの硬さを、センター部材２の檜製木毛センター部分２ａ及び檜製木毛からなるサイド部材３の硬さと同じか、それより、柔らかくしたものであり、第３には、合成繊維綿からなる上部ベース部材１ｂとセンター部材２を形成する合成繊維綿製センター部分２ｂとを、檜製木毛からなる下位ベース部材１ａ、センター部材２の檜製木毛センター部分２ａ及び檜製木毛からなるサイド部材３の硬さより柔らかくしたもである。
【発明の効果】
【０００８】
本発明は、上述した目的を達成するために、枕構造体を、檜製木毛からなる下位ベース部材と合成繊維綿からなる上部ベース部材とからなるベース部材と、檜製木毛センター部分と合成繊維綿製センター部分とからなるセンター部材と、センター部材の両側に配置される檜製木毛からなるサイド部材とにより構成したので、枕構造体が、個々人の好みに応じた、或いは、変化する好みに、容易に、且つ、簡単に、対応することができるとともに、枕構造体として、檜製木毛を使用したので、消臭効果が低下した際には、噴霧器等により、檜材からなる木毛に、水分を供給したり、或いは、スチームアイロンにより、檜材からなる木毛に水分を供給することにより、容易に、且つ、簡単に、檜材からなる木毛の消臭効果を回復させることができる。
【０００９】
また、檜製木毛からなる下位ベース部材の硬さを、センター部材の檜製木毛センター部分及び檜製木毛からなるサイド部材の硬さと同じか、それより、柔らかくしたので、睡眠中に、枕構造体に載置される頭や肩部等が、安定して保持されることになり、従って、安定した睡眠状態を、確保することができる。
【００１０】
更に、合成繊維綿からなる上部ベース部材とセンター部材を形成する合成繊維綿製センター部分とを、檜製木毛からなる下位ベース部材、センター部材の檜製木毛センター部分及び檜製木毛からなるサイド部材の硬さより柔らかくしたので、寝返りや、上向きや横向きや斜め向き等の寝方等の自然に、且つ、容易に行うことができる。
【図面の簡単な説明】
【００１１】
【図１】図１は、本発明の枕構造体の分解斜視図である。
【図２】図２は、本発明の枕構造体の垂直断面図である。
【実施例】
【００１２】
以下に、図１を用いて、本発明の枕構造体Ｐについて説明する。
【００１３】
本発明の枕構造体Ｐは、ベース部材１と、ベース部材１の中央部に載置されるセンター部材２と、ベース部材１の中央部に載置されるセンター部材２の両側に配置される一対のサイド部材３とから形成されている。センター部材２と該センター部材２の両側に配置されたサイド部材３の平面状の面積は、略同じに面積に形成されているとともに、センター部材２と該センター部材２の両側に配置されたサイド部材３との合計した平面状の面積は、ベース部材１の平面状の面積とは略同じ面積に形成されている。
【００１４】
本実施例においては、ベース部材１は、一番下に位置する最下位ベース部材１ａと、最下位ベース部材１ａに載置される、最下位ベース部材１ａと略同じ大きさの上部ベース部材１ｂとを有している。また、センター部材２は、複数に分割されており、更に、センター部材２の両側に配置された一対のサイド部材３は、同一構造を有している。
【００１５】
ベース部材１を構成する最下位ベース部材１ａは、木毛機で製造された檜製木毛を、適当な厚さ及び大きさに成形した後、適当な硬さに圧縮することにより形成されており、また、上部ベース部材１ｂは、ポリエステル等の適当な合成繊維綿から構成されている。
【００１６】
複数に分割されたセンター部材２は、上述した最下位ベース部材１ａと同様に、木毛機で製造された檜製木毛を、適当な厚さ及び大きさに成形された檜製木毛センター部分２ａと、上述した上部ベース部材１ｂと同様の合成繊維綿からなる合成繊維綿製センター部分２ｂとから構成されている。檜製木毛センター部分２ａと合成繊維綿製センター部分２ｂの枚数や、檜製木毛センター部分２ａと合成繊維綿製センター部分２ｂの配置位置、即ち、檜製木毛センター部分２ａを一番上に配置するか、合成繊維綿製センター部分２ｂを一番上に配置するか、或いは、檜製木毛センター部分２ａの間に、合成繊維綿製センター部分２ｂに配置するか、合成繊維綿製センター部分２ｂの間に、檜製木毛センター部分２ａを配置するかは、使用者が、適宜、選択することができるように構成されている。本実施例においては、合成繊維綿製上部ベース部材１ｂの中央部に、２枚の合成繊維綿製センター部分２ｂが載置され、その上に、１枚の檜製木毛センター部分２ａが載置されている例が示されている。
【００１７】
サイド部材３は、ベース部材１を構成する最下位ベース部材１ａと同様に、木毛機で製造された檜製木毛を、適当な厚さ及び大きさに成形した後、圧縮することにより形成されており、サイド部材３は、最下位ベース部材１ａの硬さと同じか、或いは、最下位ベース部材１ａの硬さより、柔らかくなるように成形されている。また、サイド部材３の高さは、センター部材２の高さと略同じになるように形成されている。
【００１８】
ベース部材１を構成する合成繊維綿からなる上部ベース部材１ｂやセンター部材２を構成する合成繊維綿製センター２ｂの硬さは、上述した檜製木毛からなる最下位ベース部材１ａの硬さや、同じく、檜製木毛からなるサイド部材３の硬さより、柔らかくなるように構成されている。
【００１９】
上述した、ベース部材１を構成する最下位ベース部材１ａと上部ベース部材１ｂとは、通気性のある布製や不織布製等の袋により、それぞれ別々に包装することが好ましい。また、センター部材２を構成する檜製木毛センター部分２ａと２枚の合成繊維綿製センター部分２ｂも、通気性のある布製や不織布製等の袋により、それぞれ別々に包装することが好ましい。更に、一対のサイド部材３も、通気性のある布製や不織布製等の袋により、それぞれ別々に包装することが好ましい。更にまた、ベース部材１を構成する最下位ベース部材１ａ、上部ベース部材１ｂ、センター部材２を構成する檜製木毛センター部分２ａ、合成繊維綿製センター２ｂ及びサイド部材３からなる枕構造体Ｐ全体を、周知の袋状カバー内に収容するように構成することもできる。
【００２０】
図１には、一例としての枕構造体Ｐが示されており、この実施例においては、ベース部材１が、檜製木毛からなる１枚の最下位ベース部材１ａと、合成繊維綿からなる１枚の上部ベース部材１ｂとから構成されており、また、センター部材２が、１枚の檜製木毛センター部分２ｂと２枚の合成繊維綿製センター部分２ｂとから構成されており、更に、センター部材２の両側に配設された一対の１枚のサイド部材３により構成されている例が示されている。
【００２１】
枕構造体Ｐの全体の高さの調整は、檜製木毛センター部分２ｂや合成繊維綿製センター部分２ｂの枚数を増減すこと等により行なうことができる。また、枕構造体Ｐのベース部材１を構成する最下位ベース部材１ａや上部ベース部材１ｂ、センター部材２を構成する檜製木毛センター部分２ａや合成繊維綿製センター部分２ｂ、及び、サイド部材３を、個々に、購入することにより、枕構造体Ｐの全体の高さの調整の自由度を高めることができる。
【００２２】
枕構造体Ｐの全体の硬さは、上部ベース部材１ｂを増減したり、或いは、上部ベース部材１ｂを取り除いたり、合成繊維綿製センター部分２ａ２の枚数を増減することに行なうことができる。また、枕構造体Ｐの全体の硬さは、枕構造体Ｐを構成するセンター部材２の合成繊維綿製センター２ａの個数を増減することにより行なうことができる。更に、センター部材２とサイド部材３との配置位置を、適宜、変更することにより行うこともできる。
【００２３】
また、檜製木毛からなる下位ベース部材１ａの硬さを、センター部材２の檜製木毛センター部分２ａや檜製木毛からなるサイド部材３の硬さと同じか、それより、柔らかくすることにより、睡眠中に、枕構造体に載置される頭や肩部等が、安定して保持されることになり、従って、安定した睡眠状態を、確保することができる。
【００２４】
更にまた、寝返りの容易さは、センター部材２を構成する、檜製木毛センター部分２ａと合成繊維綿製センター部分２ｂとの上下位置を変更することにより、寝返りの容易さを調整することができる。
【００２５】
ベース部材１を構成する檜製木毛からなる最下位ベース部材１ａ、センター部材２を構成する檜製木毛センター部分２ａ及び檜製木毛からなるサイド部材３には、消臭効果の高い檜材が使用されている。
【００２６】
最下位ベース部材１ａ、檜製木毛センター部分２ａ及び檜製木毛からなるサイド部材３の消臭効果が低下した際には、噴霧器等により、檜材からなる木毛に、水分を供給したり、或いは、スチームアイロンにより、檜材からなる木毛に水分を供給することにより、容易に、且つ、簡単に、檜材からなる木毛の消臭効果を回復させることができる。
【００２７】
上述した、ベース部材１を構成する、最下位ベース部材１ａや上部ベース部材１ｂ、また、センター部材２を構成する檜製木毛センター部分２ａや合成繊維綿製センター部分２ｂ、更には、サイド部材３は、それぞれ、全体袋状カバーに収容することもできる。
【００２８】
上述したように、枕構造体Ｐを、檜製木毛からなる下位ベース部材１ａと合成繊維綿からなる上部ベース部材１ｂとからなるベース部材１と、檜製木毛センター部分２ａと合成繊維綿製センター部分２ｂとからなるセンター部材２と、センター部材２の両側に配置される檜製木毛からなるサイド部材３とにより構成したことにより、個々人の好みに応じた、或いは、変化する好みに対応することができる。
【符号の説明】
【００２９】
Ｐ・・・・・・・・・・・・・・・枕構造体
１・・・・・・・・・・・・・・・ベース部材
１ａ・・・・・・・・・・・・・・最下位ベース部材
１ｂ・・・・・・・・・・・・・・上部ベース部材
２・・・・・・・・・・・・・・・センター部材
２ａ・・・・・・・・・・・・・・檜製木毛センター部分
２ｂ・・・・・・・・・・・・・・合成繊維綿製センター部分
３・・・・・・・・・・・・・・・サイド部材
【図１】
2014090935.tif 000003
【図２】
2014090935.tif 000004